(57)【要約】【課題】中継ボックス本体内への電線の引き込み位置を所定範囲内において自在に調整することができる。【解決手段】地下に埋設される中継ボックス本体１と、中継ボックス本体１の側壁２に固定される少なくとも１枚の基板４と、基板４の外面に固定される電線用ダクトスリーブ５と、基板４の外面に回転自在に嵌め込まれる、ボルト用長孔７が径方向に形成された少なくとも１つの円板状座金６とを備えている。基板４は、座金６の長孔７に挿通されるボルト８を介して側壁２に固定され、基板４においてダクトスリーブ５の固定部分には、基板側開口４Ａが形成され、側壁２において基板４の基板側開口４Ａ部分には、側壁側開口２Ａが形成され、側壁側開口２Ａは、基板側開口４Ａに比べて大きい。【選択図】　図１
2004056952.tif 000002
【特許請求の範囲】
【請求項１】
地下に埋設される中継ボックス本体と、前記中継ボックス本体の側壁に固定される少なくとも１枚の基板と、前記基板の外面に固定される電線用ダクトスリーブと、前記基板の前記外面に回転自在に嵌め込まれる、ボルト用長孔が径方向に形成された少なくとも１つの円板状座金とを備え、前記基板は、前記座金の前記長孔に挿通されるボルトを介して前記側壁に固定され、前記基板において前記ダクトスリーブの固定部分には、基板側開口が形成され、前記側壁において前記基板の前記基板側開口部分には、側壁側開口が形成され、前記側壁側開口は、前記基板側開口に比べて大きいことを特徴とする電線共同溝用中継ボックス。
【請求項２】
前記座金は、前記基板の対角線上に一対設けられていることを特徴とする、請求項１記載の電線共同溝用中継ボックス。
【発明の詳細な説明】
【０００１】
【発明の属する技術分野】
この発明は、電線共同溝用中継ボックス、特に、中継ボックス本体内への電線の引き込み位置を所定範囲内で自在に調整可能な電線共同溝用中継ボックスに関するものである。
【０００２】
【従来の技術】
従来から電柱によって地上に張り巡らされている電線、光ファイバー等の電線類（以下、単に電線という。）は、都市景観を崩すばかりか、通行や消防活動の妨げになり、さらに高圧電線の場合には、台風や地震等の災害時の切断による二次災害の発生の恐れがあった。このために、図７に示すように、電線類をまとめて歩道の地下に構築された電線共同溝に埋設することが行われている。そして、電線類は、所定間隔をあけて埋設された中継ボックスを介して分岐される。
【０００３】
従来、中継ボックスは、図７に示すように、地下に埋設されるコンクリート製中継ボックス本体２１と、中継ボックス本体２１の側壁２２にこれを貫通して固定された複数個の電線用フレキシブルダクトスリーブ２３とを備えており、保護管２４内に通された電線２５は、ダクトスリーブ２３を介して中継ボックス本体２１内に引き込まれる。
【０００４】
【発明が解決しようとする課題】
しかしながら、上述した従来の電線共同溝用中継ボックスは、次のような問題があった。ダクトスリーブ２３は、中継ボックス本体２１の側壁２２の定位置に固定されているので、ダクトスリーブ２３が例えフレキシブルになっていても電線の中継ボックス本体２１内への引き込みに支障を来たすことがあった。
【０００５】
従って、この発明の目的は、ダクトスリーブを中継ボックス本体の側壁に対して移動可能に取り付けることによって、中継ボックス本体への電線の引き込み位置を所定範囲内で自在に調整することが可能な電線共同溝用中継ボックスを提供することにある。
【０００６】
【課題を解決するための手段】
請求項１記載の発明は、地下に埋設される中継ボックス本体と、前記中継ボックス本体の側壁に固定される少なくとも１枚の基板と、前記基板の外面に固定される電線用ダクトスリーブと、前記基板の前記外面に回転自在に嵌め込まれる、ボルト用長孔が径方向に形成された少なくとも１つの円板状座金とを備え、前記基板は、前記座金の前記長孔に挿通されるボルトを介して前記側壁に固定され、前記基板において前記ダクトスリーブの固定部分には、基板側開口が形成され、前記側壁において前記基板の前記基板側開口部分には、側壁側開口が形成され、前記側壁側開口は、前記基板側開口に比べて大きいことに特徴を有するものである。
【０００７】
請求項２記載の発明は、前記座金は、前記基板の対角線上に一対設けられていることに特徴を有するものである。
【０００８】
【発明の実施の形態】
次に、この発明の電線共同溝用中継ボックスの一実施態様を、図面を参照しながら説明する。
【０００９】
図１は、この発明の電線共同溝用中継ボックスを示す側面図、図２は、図１のＡ−Ａ線断面図、図３は、図１のＢ−Ｂ線断面図、図４は、座金の正面図、図５は、座金の側面図、図６は、ダクトスリーブの移動状態を示す正面図である。
【００１０】
図１から図６において、１は、コンクリート等からなる地中に埋設される中継ボックス本体、２は、中継ボックス本体１の鋼板等からなる側壁である。側壁２は、中継ボックス本体１にボルト３により固定されている。４は、側壁２に固定された基板であり、中継ボックス本体１内に引き込む電線の数だけ設けられている（この例では４枚）。５は、基板４の外面に固定された電線用円筒状ダクトスリーブである。基板４においてダクトスリーブ５の固定部分には、ダクトスリーブ５とほぼ同径の基板側開口４Ａが形成されている。側壁２において基板４の基板側開口４Ａ部分には、側壁側開口２Ａが形成されている。側壁側開口２Ａは、基板側開口４Ａに比べて大きく形成されている。
【００１１】
６は、ボルト用長孔７が径方向に形成された円板状座金であり、基板４の外面の対角線位置に形成された一対の円形状凹陥部４Ｂの各々に回転自在に嵌め込まれている。円板状座金６は、図４および図５に示すように、小径部６Ａと大径部６Ｂとからなり、小径部６Ａが、基板４の凹陥部４Ｂに回転自在に嵌め込まれ、大径部６Ｂは、基板４の上面から突出している。基板４は、座金６の長孔７に挿通されるボルト８を介して側壁２に固定されている。９は、端部がダクトスリーブ５に接続された保護管であり、１０は、保護管９内に通された電線である。
【００１２】
この発明の電線共同溝用中継ボックスは、以上のように構成されているので、ボルト８を緩めて基板４を移動すると、基板４は、座金６の長孔７の長さの範囲内でダクトスリーブ５と共に移動し、これによって、電線の中継ボックス本体１内への引き込み位置を調整することができる。
【００１３】
なお、この場合、図６のＡ方向、すなわち、座金６の長孔７の方向と同じ方向に基板４を移動させる場合には、座金６は、回転せずにそのまま基板４と共に長孔７の長さ分だけ移動するが、図６のＢ方向、すなわち、座金６の長孔７の方向と異なる方向に基板４を移動させる場合には、座金６は、ボルト８を中心として凹陥部４Ｂ内を回転しながら移動する。このように、座金６は、凹陥部４Ｂ内に嵌め込まれた状態で移動するので、基板４は、側壁２から離脱することなく且つがたつくことなく円滑に移動する。
【００１４】
座金６の数は、基本的には１つで良いが、安定して基板４を移動させるには、基板４の対角線位置に一対設けるのが良い。側壁側開口２Ａは、基板側開口４Ａに比べて大きく形成されているので、ダクトスリーブ５が移動しても、中継ボックス本体１内への電線１０の引き込みに支障は来たさない。
【００１５】
このように、従来の電線共同溝用中継ボックスのようにダクトスリーブ５は、中継ボックス本体１の側壁の２の定位置に固定されず、所定範囲内で移動可能であるので、中継ボックス本体１内への電線１０の引き込み位置を所定範囲内において自在に調整することができる。従って、電線１０の引き込み作業が容易となる。
【００１６】
なお、側壁２を上述した基板４の取り付け構造と同様に、中継ボックス本体１に取り付ければ、電線１０の中継ボックス本体１への引き込み位置の調整範囲が広がる。すなわち、側壁２のコーナー部に円形状凹陥部４Ｂを形成し、この凹陥部４Ｂにボルト用長孔７が径方向に形成された円板状座金６を回転自在に嵌め込み、側壁２を座金６の長孔７に挿通されるボルト８を介して中継ボックス本体１に固定すれば、全てのダクトスリーブ５の位置を所定範囲内で調整することができる。
【００１７】
【発明の効果】
以上説明したように、この発明によれば、ダクトスリーブが固定された基板に、ボルト用長孔が形成された円板状座金を嵌め込み、長孔にボルトを挿通して、座金を介して基板を中継ボックス本体の側壁に固定することによって、基板の取り付け位置を長孔の長さの範囲内において自在に調整することができる。従って、中継ボックス本体内への電線の引き込み位置を所定範囲内において自在に調整することができるので、電線の引き込み作業が容易となるといった有用な効果がもたらされる。
【図面の簡単な説明】
【図１】この発明の電線共同溝用中継ボックスを示す側面図である。
【図２】図１のＡ−Ａ線断面図である。
【図３】図１のＢ−Ｂ線断面図である。
【図４】座金の正面図である。
【図５】座金の側面図である。
【図６】ダクトスリーブの移動状態を示す正面図である。
【図７】地下に埋設された中継ボックスを示す斜視図である。
【符号の説明】
１：中継ボックス本体
２：側壁
２Ａ：側壁側開口
３：ボルト
４：基板
４Ａ：基板側開口
４Ｂ：凹陥部
５：ダクトスリーブ
６：座金
６Ａ：小径部
６Ｂ：大径部
７：長孔
８：ボルト
９：保護管
１０：電線
２１：中継ボックス本体
２２：側壁
２３：ダクトスリーブ
２４：保護管
２５：電線
【図１】
2004056952.tif 000003
【図２】
2004056952.tif 000004
【図３】
2004056952.tif 000005
【図４】
2004056952.tif 000006
【図５】
2004056952.tif 000007
【図６】
2004056952.tif 000008
【図７】
2004056952.tif 000009